(57)【特許請求の範囲】
【請求項１】
圧着端子又は圧接端子を収容可能な複数の共用端子収容部を併設された絶縁ハウジングを一段又は多段に配設し、これら圧着端子及び圧接端子を混在収容するコネクタであって、前記絶縁ハウジングの共用端子収容部が、基板部に立設された隔壁によって形成され、圧着端子又は圧接端子が各共用端子収容部の上方開口から挿入されると共に、前記共用端子収容部の上方開口が、各絶縁ハウジングの上に積層される他の絶縁ハウジング又はカバー部材によって覆われ、前記絶縁ハウジングの各隔壁には、各共用端子収容部の上方開口から挿入される圧着端子又は圧接端子のハウジング係合部に係合して、各端子の軸線方向の位置決めを果たす端子係止部が設けられ、前記ハウジング係合部が、前記各隔壁に対向する前記各端子の側壁に形成された係止用開口と、該係止用開口の端子底壁側に形成された可撓係止片とを備えると共に、前記端子係止部が、前記係止用開口に対応して前記各隔壁に突設された係止突起から成ることを特徴とするコネクタ。
【発明の詳細な説明】
【０００１】
【発明の属する技術分野】
本発明は、圧着端子又は圧接端子を収容可能な複数の共用端子収容部を併設された絶縁ハウジングを一段又は多段に配設し、これら圧着端子及び圧接端子を混在収容するコネクタに関するものである。
【０００２】
【従来の技術】
近年、自動車に搭載される電気機器や制御回路等の増加に伴い、車体に配索されるワイヤハーネスは、収容する電線数が増大している。そして、このように収容電線数が多いワイヤハーネスでは、生産性を向上させるために、電線端の接続作業性に優れた圧接端子を収容保持するコネクタの採用が増えている。
【０００３】
前記圧接端子は、対向配置された一対の圧接刃間に被覆電線を圧入した際に、絶縁被覆を切断した圧接刃が内部導体に接触することで、電線の内部導体との電気的な接続を得る構成のもので、従来より普及している圧着端子と比較して、電線端の被覆のはぎ取り工程や、端子の加締め工程が不要になるため、電線の接続作業を大幅に改善することができる。
【０００４】
しかしその反面、前記圧接端子は、その構造上、接続可能な電線が制限される。例えば、一対の圧接刃間の隙間寸法に対して内部導体の外径が規定範囲外となる被覆電線や、内部導体の外周にシールド線を配したシールド電線、或いは高い接続強度が必要となる電線等に対しては、圧接端子は不向きである。
【０００５】
一般に、自動車のワイヤハーネスには、寸法の異なる各種の被覆電線やシールド電線等が含まれるので、生産性を考慮して、圧接端子を接続する電線と、従来と同様に圧着端子を接続する電線との使い分けが必要になる。
そして、このような圧接端子と圧着端子との混在環境を考慮して、圧着端子又は圧接端子を収容可能な複数の共用端子収容部を併設された絶縁ハウジングを一段又は多段に配設し、これら圧着端子及び圧接端子を混在収容するコネクタが提案されている。
【０００６】
図９乃至図１１は、圧着端子と圧接端子とを混在収容するコネクタの従来例を示したものである。
ここに示したコネクタ１は、特開平１０−１８９１１７号公報等に開示されたもので、絶縁ハウジング３に、圧着端子５及び圧接端子６に共用可能な複数個の共用端子収容部８を上下２段に整列形成して、圧着端子５と圧接端子６とを混在収容する。
【０００７】
上記の圧着端子５及び圧接端子６は、金属導体板のプレス成形品である。
前記圧接端子６は、図１０に示すように、被覆電線１３の外部被覆を切断して内部導体に接触する一対の圧接刃６ａ，６ａが端子後端部に二組、対向配置されると共に、相手側の接続雄端子が嵌合する雌の端子嵌合部６ｃが端子先端部に配設される構造である。
又、前記圧着端子５は、図１１に示すように、被覆電線１２の内部導体を圧着する導体加締め爪５ａと、被覆電線１２を外部被覆上から押さえる被覆加締め爪５ｂとが端子後端部に配置されると共に、相手側の接続雄端子が嵌合する雌の端子嵌合部５ｃが端子先端部に配設される構造である。
【０００８】
前記共用端子収容部８の後半部には、前記圧接端子６が収容された後、端子後端部で対を成す圧接刃６ａ，６ａに被覆電線１３を圧接可能とする開口が設けられており、該開口を遮蔽するカバー９，１０は、前記開口より前方側で薄肉ヒンジ１１により前記絶縁ハウジング３に一体成形されている。
前記共用端子収容部８の前半部は、圧着端子５及び圧接端子６の端子嵌合部５ｃ，６ｃを収容すると共に、これら端子５，６を仮係止する可撓ランス３ａ，３ｂを内部に有している。
【０００９】
そこで、前記圧着端子５及び圧接端子６は、図１０及び図１１に矢印Ａ，Ｂで示したように、各共用端子収容部８の後方から絶縁ハウジング３の前方に向かって挿入され、共用端子収容部８内の可撓ランス３ａ，３ｂに仮係止される。
そして、前記圧接端子６は、図１０に示すように、矢印Ｃ，Ｄ方向から圧接刃６ａ，６ａに被覆電線１３が圧接される。又、前記圧着端子５には、図１１に示すように、予め被覆電線１２が圧着されている
【００１０】
その後、前記開閉カバー９，１０が閉じられ、本係止状態となって前記圧着端子５及び圧接端子６の抜けが防止される。
閉じた開閉カバー９，１０は、図９に示すように、絶縁ハウジング３の外側面に突設された係止ロック部３ｃ，３ｄとの係合によって、閉状態にロックされる。
【００１１】
【発明が解決しようとする課題】
ところが、上述した従来のコネクタ１は、共用端子収容部８への各端子５，６の装着を、絶縁ハウジング３の後方からの挿入動作によって行うものである。
そこで、挿入時に端子長手方向に沿って挿入される各端子５，６には振れが生じ易く、端子の振れによって端子先端部等が共用端子収容部８の内壁面に衝突して、挿入操作が円滑にできなくなる可能性があった。
【００１２】
また、前記絶縁ハウジング３上の共用端子収容部８に対する圧着端子５又は圧接端子６の挿入方向（図１０及び図１１の矢印Ａ及びＢ方向）と、圧接端子６に対する被覆電線１３の圧接操作方向（図１０の矢印Ｃ，Ｄ方向）とが異なるため、絶縁ハウジング３に対する圧着端子５及び圧接端子６の実装工程や、圧接端子６に対する被覆電線１３の圧接工程の自動化が難しく、コネクタ１の組立作業性が良くないという問題があった。
【００１３】
そこで、本発明の目的は上記課題を解消することにあり、圧着端子と圧接端子とを混在収容することができると共に、共用端子収容部内への各端子の挿入作業性を高めてコネクタの組立作業性を向上させ、コストダウンを図ることができる良好なコネクタを提供することである。
【００１４】
【課題を解決するための手段】
本発明の上記目的は、圧着端子又は圧接端子を収容可能な複数の共用端子収容部を併設された絶縁ハウジングを一段又は多段に配設し、これら圧着端子及び圧接端子を混在収容するコネクタであって、前記絶縁ハウジングの共用端子収容部が、基板部に立設された隔壁によって形成され、圧着端子又は圧接端子が各共用端子収容部の上方開口から挿入されると共に、前記共用端子収容部の上方開口が、各絶縁ハウジングの上に積層される他の絶縁ハウジング又はカバー部材によって覆われ、前記絶縁ハウジングの各隔壁には、各共用端子収容部の上方開口から挿入される圧着端子又は圧接端子のハウジング係合部に係合して、各端子の軸線方向の位置決めを果たす端子係止部が設けられ、前記ハウジング係合部が、前記各隔壁に対向する前記各端子の側壁に形成された係止用開口と、該係止用開口の端子底壁側に形成された可撓係止片とを備えると共に、前記端子係止部が、前記係止用開口に対応して前記各隔壁に突設された係止突起から成ることを特徴とするコネクタにより達成される。
【００１５】
上記構成によれば、圧着端子又は圧接端子が、各共用端子収容部の上方開口から挿入される。
そこで、端子長手方向に沿って後方開口から共用端子収容部内に挿入される従来のコネクタの場合と比べると、開口が大きく各端子の挿入が容易であり、挿入時の端子の振れによる端子先端部と共用端子収容部の内壁との衝突等が生じることもない。
【００１６】
また、共用端子収容部に対する各圧着端子又は圧接端子の挿入方向と、圧接端子に対する被覆電線の圧接操作方向とが一致するため、絶縁ハウジングに対する各端子の実装工程や、圧接端子に対する被覆電線の圧接工程の自動化が容易になる。
【００１７】
また、前記絶縁ハウジングの各隔壁には、各共用端子収容部の上方開口から挿入される圧着端子又は圧接端子のハウジング係合部に係合して、各端子の軸線方向の位置決めを果たす端子係止部が設けられる。この場合、各共用端子収容部内に挿入された圧接端子は、ハウジング係合部に係合した端子係止部により、軸線方向の位置決めが成されるので、圧接工程時の位置ズレを防止できる。又、各端子は、各絶縁ハウジングの上に積層される他の絶縁ハウジング又はカバー部材によって覆われるまでの端子抜けを防止される。
【００１８】
更に、前記ハウジング係合部が、前記各隔壁に対向する前記各端子の側壁に形成された係止用開口と、該係止用開口の端子底壁側に形成された可撓係止片とを備えると共に、前記端子係止部が、前記係止用開口に対応して前記各隔壁に突設された係止突起から成る。
【００１９】
この場合、前記各隔壁に突設された係止突起が、前記係止用開口及び前記可撓係止片に係合することで、各端子を各共用端子収容部内に位置決めすることができる。
そこで、端子に切り起こした係止ランスを端子収容部の内壁面に形成した凹部に係合させたり、端子収容部の内壁面に形成した可撓ランスを端子に形成した開口に係合させることにより、収容した端子を端子収容部内に係止させる従来のコネクタに比べて、前記絶縁ハウジングは、各共用端子収容部を画成する隔壁の肉厚を薄肉化して、共用端子収容部の配列ピッチを狭めることができ、小型化が容易である。
【００２０】
又、各端子に接続された被覆電線を介して作用する引張り力は、前記隔壁に突設された係止突起と、この係止突起が嵌入した係止用開口の開口縁との引っ掛かりによって受けることができるので、従来の係止ランスや可撓ランスに比べて、前記絶縁ハウジングに対する十分な端子係止力を容易に確保することができる。更に、前記可撓係止片は、前記各端子の側壁より外方へ突出しないので、端子の輸送時等に該可撓係止片が他の端子や他の器物等に引っ掛かって損傷する虞がなく、取扱いが容易である。
【００２１】
【発明の実施の形態】
以下、添付図面に基づいて本発明の一実施形態に係るコネクタを詳細に説明する。
図１は本発明の第１実施形態に係るコネクタの分解斜視図、図２は図１に示したコネクタの組立斜視図、図３は図１に示した圧着端子の上下面側から見た全体斜視図、図４は図１に示した圧接端子の上下面側から見た全体斜視図、図５は図１に示した絶縁ハウジングにカバー部材を装着した状態の共用端子収容部を示す縦断面図、図６は図１に示したコネクタの共用端子収容部に対する圧接端子の装着操作を説明する要部横断面図である。
【００２２】
本第１実施形態のコネクタ２１は、自動車のワイヤハーネス用に開発されたものであり、図１及び図２に示したように、圧着端子２５又は圧接端子２６を収容可能な複数の共用端子収容部２８を併設された絶縁ハウジング２３を二段に配設し、これら圧着端子２５及び圧接端子２６を混在収容するコネクタである。
【００２３】
上記の圧着端子２５又は圧接端子２６は、金属導体板のプレス成形品である。前記圧着端子２５は、図３（ａ），（ｂ）に示すように、被覆電線１２の内部導体を圧着する導体加締め爪２５ａと、被覆電線１２を外部被覆上から押さえる被覆加締め爪２５ｂとが端子後端部に配置されると共に、相手側の接続雄端子が嵌合する雌の端子嵌合部２５ｃが端子先端部に配設される構造である。
【００２４】
又、前記圧接端子２６は、図４（ａ），（ｂ）に示すように、被覆電線１３の外部被覆１３ｂを切断して内部導体１３ａに接触する一対の圧接刃２６ａ，２６ａが端子後端部に二組、対向配置されると共に、相手側の接続雄端子が嵌合する雌の端子嵌合部２６ｃが端子先端部に配設される構造である。
【００２５】
本第１実施形態の絶縁ハウジング２３は、長尺状の基板部２７に所定間隔で立設された隔壁２９によって、複数の共用端子収容部２８が画成されており、前記圧着端子２５又は圧接端子２６が各共用端子収容部２８の上方開口から挿入される。即ち、各端子２５，２６は、前記圧接端子２６への電線１３の圧接操作方向と同一の方向（図１中、上方向）から各共用端子収容部２８内に挿入できる。
尚、前記絶縁ハウジング２３は、共用端子収容部２８の配列方向に沿って予め長尺連鎖状に一体成形し、後から必要な極数に合わせて所定長さにカットして使用される。又、上記絶縁ハウジング２３の前端側には、相手側の接続雄端子を挿入案内する端子挿入口を構成する前壁３０が一体形成されている。
【００２６】
そして、下段の絶縁ハウジング２３における共用端子収容部２８の上方開口は、上段の絶縁ハウジング２３の基板部２７によって覆われ、上段の絶縁ハウジング２３における共用端子収容部２８の上方開口は、積層状態に結合されるカバー部材３１のカバー本体３１ａによって覆われる。略矩形状のカバー本体３１ａの両側端には、これら絶縁ハウジング２３，２３の両側縁を抱持するカバーロック３２が設けられている。又、前記カバー本体３１ａの上面には、相手コネクタと嵌合ロックする為のロックアーム３４が設けられている。
【００２７】
尚、上記第１実施形態のコネクタ２１は、２個の絶縁ハウジング２３相互を上下に積層状態に重ねることで、上下に多段に共用端子収容部２８を装備したコネクタを構築しているが、絶縁ハウジング２３を一段にしたり、三段以上の多段に積層したコネクタを構築することもできる。この場合、前記カバー部材３１のカバーロック３２の長さを適宜変更するだけで良く、絶縁ハウジング２３を共通化することができる。
【００２８】
更に、前記絶縁ハウジング２３の共用端子収容部２８を画成している各隔壁２９の両面には、各共用端子収容部２８の上方開口から挿入される圧着端子２５又は圧接端子２６のハウジング係合部４１に係合して、各端子の軸線方向の位置決めを果たす端子係止部としての係止突起３３が突設されている。
前記係止突起３３は、図５及び図６に示したように、ハウジング上面側に案内用の傾斜面３３ａを有し、ハウジング下面側に係止用の水平面３３ｂを有している。
【００２９】
又、前記圧着端子２５及び圧接端子２６のハウジング係合部４１は、図３及び図４にも示したように、絶縁ハウジング２３の隔壁２９に対向する一対の端子側壁２５ｄ，２５ｄ（２６ｄ，２６ｄ）に貫通形成され、前記係止突起３３が嵌入可能な係止用開口４１ａと、該係止用開口４１ａの端子底壁２５ｅ（２６ｅ）側から端子側壁２５ｄ（２６ｄ）に沿って立ち上がるように切り起こし形成された可撓係止片４３とを備える。
【００３０】
そこで先ず、図６（ａ）に示したように、例えば前記絶縁ハウジング２３の共用端子収容部２８の上方開口から前記圧接端子２６が挿入されると、前記ハウジング係合部４１の可撓係止片４３が前記係止突起３３の傾斜面３３ａに当接し、内方に弾性変形させられるので、前記係止突起３３は係止用開口４１ａへの嵌入が許容される。この際、前記可撓係止片４３の当接部にも案内傾斜面４３ａを形成することで、前記圧接端子２６の挿入をスムーズに行うことができる。
【００３１】
そして、図６（ｂ）に示したように、前記圧接端子２６が前記共用端子収容部２８内に押し込まれ、前記可撓係止片４３が前記係止突起３３を乗り越えると、弾性復元力で前記可撓弾性片４３が前記係止突起３３の水平面３３ｂに係合するので、前記圧接端子２６は上方への抜けが阻止される。
又、前記圧接端子２６は、前記係止突起３３が前記端子底壁２５ｅ側から前記係止用開口４１ａ内に嵌入され、開口縁に引っ掛かることで端子軸線方向の位置決めが成される。
尚、図６においては、前記絶縁ハウジング２３の共用端子収容部２８の上方開口から圧接端子２６を挿入する場合について説明したが、前記圧着端子２５のハウジング係合部４１の構成も同様であり、同様に収容保持することができる。
【００３２】
即ち、本第１実施形態のコネクタ２１によれば、圧着端子２５又は圧接端子２６が各共用端子収容部２８の上方開口から挿入される。
そこで、図１０及び図１１に示したように端子長手方向に沿って後方から共用端子収容部８内に圧着端子５又は圧接端子６が挿入される従来のコネクタ１の場合と比べると、開口が大きく各端子２５，２６の挿入が容易であり、挿入時の前記端子２５，２６の振れによる端子先端部と隔壁２９との衝突（ドツキ）等が生じることもなく、速やかに挿入操作を完了させることができる。
【００３３】
また、各共用端子収容部２８に対する各圧着端子２５又は圧接端子２６の挿入方向と、圧接端子２６に対する被覆電線１３の圧接操作方向とが一致するため、絶縁ハウジング２３に対する各端子２５，２６の実装工程や、圧接端子２６に対する被覆電線１３の圧接工程の自動化が容易になる。
従って、本第１実施形態のコネクタ２１によれば、圧着端子２５と圧接端子２６とを混在収容することができると共に、共用端子収容部２８内への各端子２５，２６の挿入作業性を高めてコネクタ２１の組立作業性を向上させ、コストダウンを図ることができる。
【００３４】
更に、本第１実施形態の絶縁ハウジング２３における共用端子収容部２８を画成している各隔壁２９の両面には、各共用端子収容部２８の上方開口から挿入される圧着端子２５又は圧接端子２６のハウジング係合部４１に係合して、各端子の軸線方向の位置決めを果たす端子係止部としての係止突起３３が突設されている。
【００３５】
そこで、前記圧接端子２６が前記共用端子収容部２８内に収容された後、端子後端部で対を成す圧接刃２６ａ，２６ａに被覆電線１３を圧接する圧接工程時の位置ズレを防止できる。又、前記共用端子収容部２８内に収容された各端子２５，２６は、ハウジング係合部４１が前記係止突起３３に仮係止されるので、下段の絶縁ハウジング２３の上に積層される上段の絶縁ハウジング２３及びカバー部材３１によって覆われるまでの端子抜けを防止される。
【００３６】
又、例えば従来のコネクタでは、収容した前記端子を端子収容部内に係止させる為に、端子に切り起こした係止ランスを絶縁ハウジングの端子収容部の内壁面に形成した凹部に係合させたり、端子収容部の内壁面に形成した可撓ランスを端子に形成した開口に係合させているが、上記絶縁ハウジング２３は、各隔壁２９の両面に小型で簡単な形状の係止突起３３が突設されるだけである。
そこで、各共用端子収容部２８を画成する隔壁２９の肉厚を薄肉化して、共用端子収容部２８の配列ピッチを狭めることができ、多極コネクタの小型化が容易である。
【００３７】
又、前記各端子２５，２６に接続された被覆電線１２，１３を介して作用する引張り力は、前記隔壁２９に突設された係止突起３３と、この係止突起３３が嵌入した係止用開口４１ａの開口縁との引っ掛かりによって受けることができる。そこで、従来の係止ランスや可撓ランスに比べて、前記絶縁ハウジング２３に対する十分な端子係止力を容易に確保することができ、共用端子収容部２８における各端子２５，２６の収容保持性能を向上させることができる。
【００３８】
更に、前記可撓係止片４３は、前記各端子２５，２６の端子側壁２５ｄ（２６ｄ）より外方へ突出しないので、これら端子２５，２６の輸送時等に該可撓係止片４３が他の端子や他の器物等に引っ掛かって損傷する虞がなく、取扱いが容易である。
【００３９】
尚、本発明のコネクタは、上記実施形態における絶縁ハウジング２３、圧着端子２５及び圧接端子２６及びカバー部材３１の構成に限定されるものではなく、本発明の趣旨に基づいて種々の形態を採りうることは言うまでもない。
例えば、上記実施形態における圧着端子２５及び圧接端子２６は、雌端子であるが、雄端子とすることもできる。
【００４０】
図７及び図８は、本発明の第２実施形態に係るコネクタの分解断面図及び組立断面図である。
図７及び図８に示した本第２実施形態のコネクタ５１は、上記第１実施形態のコネクタ２１と同様に、圧着端子２５又は圧接端子２６を収容可能な複数の共用端子収容部５８を併設された絶縁ハウジング５３を二段に配設し、これら圧着端子２５及び圧接端子２６を混在収容するコネクタである。尚、上記第１実施形態のコネクタ２１と同様の構成部品については、同符号を付して詳細な説明を省略する。
【００４１】
本第２実施形態の絶縁ハウジング５３は、長尺状の基板部５７に所定間隔で立設された隔壁５９によって、複数の共用端子収容部５８が画成されており、前記圧着端子２５又は圧接端子２６（図示略）が各共用端子収容部５８の上方開口から挿入される。
前記絶縁ハウジング５３の各隔壁５９の両面には、各端子の軸線方向の位置決めを果たす端子係止部としての係止突起３３が突設されている。又、前記絶縁ハウジング５３の各隔壁５９の後端部には、係止用凸部５９ａが延設されている。尚、前記絶縁ハウジング５３も、上記第１実施形態の絶縁ハウジング２３と同様に、共用端子収容部５８の配列方向に沿って予め長尺連鎖状に一体成形し、後から必要な極数に合わせて所定長さにカットして使用される。
【００４２】
そして、本第２実施形態のカバー部材６１は、上記第１実施形態のカバー部材３１のように、上段の絶縁ハウジング２３における各共用端子収容部２８の上方開口のみを覆う略矩形状のカバー本体３１ａを備えた構成ではなく、積層状態に重ねられたこれら絶縁ハウジング５３の周囲をも覆う筒状ハウジング６２を備えた構成である。
【００４３】
即ち、前記カバー部材６１は、図７に示したように、後端側（図中、右側）の開口より前記絶縁ハウジング５３が挿着される筒状ハウジング６２と、該筒状ハウジング６２の上面に設けたロックアーム３４とを備える。前記筒状ハウジング６２内には、収容された各絶縁ハウジング５３の上下方向を位置規制する仕切壁６３が設けられている。
【００４４】
そして、前記絶縁ハウジング５３が、下段側から前記筒状ハウジング６２内に順次挿入される。
図８に示したように、先ず、前記筒状ハウジング６２内の下段に挿入された絶縁ハウジング５３は、上段に挿入された絶縁ハウジング５３の係止用凸部５９ａにより基板部５７の後端縁が係止され、抜け止めされる。次に、上段に挿入された絶縁ハウジング５３は、前記筒状ハウジング６２の後端側の開口上縁に突設された係止突起６４により基板部５７の後端縁が係止され、抜け止めされる。
【００４５】
そこで、本第２実施形態のコネクタ５１においては、カバー部材６１の筒状ハウジング６２内に挿入された上段の絶縁ハウジング５３における共用端子収容部５８の上方開口が、下段の絶縁ハウジング５３の基板部５７によって覆われ、下段の絶縁ハウジング５３における共用端子収容部５８の上方開口が、前記筒状ハウジング６２の底壁６２ａによって覆われる。
【００４６】
従って、本第２実施形態のコネクタ５１によっても、上記第１実施形態におけるコネクタ２１と同様に、圧着端子２５と圧接端子２６とを混在収容することができると共に、共用端子収容部５８内への各端子２５，２６の挿入作業性を高めてコネクタ５１の組立作業性を向上させ、コストダウンを図ることができる。
【００４７】
尚、上記第２実施形態のコネクタ５１は、２個の絶縁ハウジング５３を上下に重ねて筒状ハウジング６２内に収容することで、上下に多段に共用端子収容部５８を装備したコネクタを構築しているが、絶縁ハウジング５３を一段にしたり、三段以上の多段に積層したコネクタを構築することもできる。
【００４８】
【発明の効果】
上述した如き本発明のコネクタによれば、圧着端子又は圧接端子が、各共用端子収容部の上方開口から挿入される。
そこで、端子長手方向に沿って後方開口から共用端子収容部内に挿入される従来のコネクタの場合と比べると、開口が大きく各端子の挿入が容易であり、挿入時の端子の振れによる端子先端部と共用端子収容部の内壁との衝突等が生じることもない。
【００４９】
また、共用端子収容部に対する各圧着端子又は圧接端子の挿入方向と、圧接端子に対する被覆電線の圧接操作方向とが一致するため、絶縁ハウジングに対する各端子の実装工程や、圧接端子に対する被覆電線の圧接工程の自動化が容易になる。従って、圧着端子と圧接端子とを混在収容することができると共に、共用端子収容部内への各端子の挿入作業性を高めてコネクタの組立作業性を向上させ、コストダウンを図ることができる良好なコネクタを提供できる。
また、各共用端子収容部内に挿入された圧接端子は、ハウジング係合部に係合した端子係止部により、軸線方向の位置決めが成されるので、圧接工程時の位置ズレを防止できる。また、各端子は、各絶縁ハウジングの上に積層される他の絶縁ハウジング又はカバー部材によって覆われるまでの端子抜けを防止される。
また、前記各隔壁に突設された係止突起が、前記係止用開口及び前記可撓係止片に係合することで、各端子を各共用端子収容部内に位置決めすることができる。そこで、端子に切り起こした係止ランスを端子収容部の内壁面に形成した凹部に係合させたり、端子収容部の内壁面に形成した可撓ランスを端子に形成した開口に係合させることにより、収容した端子を端子収容部内に係止させる従来のコネクタに比べて、前記絶縁ハウジングは、各共用端子収容部を画成する隔壁の肉厚を薄肉化して、共用端子収容部の配列ピッチを狭めることができ、小型化が容易である。
また、各端子に接続された被覆電線を介して作用する引張り力は、前記隔壁に突設された係止突起と、この係止突起が嵌入した係止用開口の開口縁との引っ掛かりによって受けることができるので、従来の係止ランスや可撓ランスに比べて、前記絶縁ハウジングに対する十分な端子係止力を容易に確保することができる。更に、前記可撓係止片は、前記各端子の側壁より外方へ突出しないので、端子の輸送時等に該可撓係止片が他の端子や他の器物等に引っ掛かって損傷する虞がなく、取扱いが容易である。
【図面の簡単な説明】
【図１】本発明の第１実施形態に係るコネクタの分解斜視図である。
【図２】図１に示したコネクタの組立斜視図である。
【図３】（ａ）は図１に示した圧着端子の上面側から見た全体斜視図、（ｂ）は下面側から見た全体斜視図である。
【図４】（ａ）は図１に示した圧接端子の上面側から見た全体斜視図、（ｂ）は下面側から見た全体斜視図である。
【図５】図１に示した絶縁ハウジングにカバー部材を装着した状態の共用端子収容部を示す縦断面図である。
【図６】図１に示したコネクタの共用端子収容部に対する圧接端子の装着操作を説明する要部横断面図である。
【図７】本発明の第２実施形態に係るコネクタの分解断面図である。
【図８】図７に示したコネクタの組立断面図である。
【図９】圧着端子と圧接端子とを混在収容する従来のコネクタにおける絶縁ハウジングの全体斜視図である。
【図１０】図９に示した絶縁ハウジングの共用端子収容部に対する圧接端子の装着操作を説明する縦断面図である。
【図１１】図９に示した絶縁ハウジングの共用端子収容部に対する圧着端子の装着操作を説明する縦断面図である。
【符号の説明】
１２  被覆電線
１３  被覆電線
２１  コネクタ
２３  絶縁ハウジング
２５  圧着端子
２６  圧接端子
２７  基板部
２８  共用端子収容部
２９  隔壁
３１  カバー部材
３３  係止突起（端子係止部）
４１  ハウジング係合部
４３  可撓係止片
【図１】
0003998922.tif 000002
【図２】
0003998922.tif 000003
【図３】
0003998922.tif 000004
【図４】
0003998922.tif 000005
【図５】
0003998922.tif 000006
【図６】
0003998922.tif 000007
【図７】
0003998922.tif 000008
【図８】
0003998922.tif 000009
【図９】
0003998922.tif 000010
【図１０】
0003998922.tif 000011
【図１１】
0003998922.tif 000012